(57)【特許請求の範囲】
【請求項１】
第１の主表面及び第２の主表面を含む通気性裏材層と、
前記通気性裏材層の前記第１の主表面上に存在する接着層と、
前記通気性裏材層の前記第２の主表面に取り外し可能に取着されるキャリアと、
前記第１の主表面又は前記第２の主表面のうち少なくとも１つの上において前記通気性裏材層に取着される少なくとも１つのバネ要素と、
剥離ライナと、を備え、
前記キャリアは、前記通気性裏材層よりも剛性が高く、かつ前記バネ要素よりも剛性が低く、
前記バネ要素は、前記通気性裏材層の最長辺と平行に延在し、かつ前記通気性裏材層の長さの少なくとも７５％と同一の広がりをもつ、鼻腔拡張器。
【請求項２】
前記バネ要素が、応力を取り除いたとき前記バネ要素を元の位置まで戻すのに十分なバネ力を有し、かつ前記接着層の皮膚に対する接着力よりも小さい前記バネ力を有する、請求項１に記載の鼻腔拡張器。
【発明の詳細な説明】
【背景技術】
【０００１】
鼻腔拡張製品は、種々の呼吸関連疾患を緩和するために、今日消費者ヘルスケア市場において、現在販売されている。鼻腔拡張器は、典型的には、鼻に貼り付け、鼻領域から外向きに力を印加して、鼻道を開いた状態に保持することにより機能する。
【発明の概要】
【発明が解決しようとする課題】
【０００２】
鼻腔拡張器の種類としては、接着剤コーティングされた通気性不織布、及びバネ力を提供する材料としての厚ポリエステルストリップ、及びポリエステルストリップ（バネ材料）と併用されるポリオレフィン型フィルムが挙げられる。これらポリオレフィンは、透湿度（ＭＶＴＲ）が非常に低く、これにより鼻腔拡張器下で水分が増加して、接着力の低下、ことによると不快感（例えば、痒み）が生じる場合がある。
【課題を解決するための手段】
【０００３】
１つの実施形態では、第１の主表面及び第２の主表面を含む通気性裏材層と、通気性裏材層の第１の主表面上に存在する接着層と、通気性裏材層の第２の主表面に取り外し可能に取着されるキャリアであって、通気性裏材層よりも剛性が高く、かつバネ要素よりも剛性が低いキャリアと、第１の主表面又は第２の主表面のうち少なくとも１つの上において通気性裏材層に取着される少なくとも１つのバネ要素であって、通気性裏材層の最長辺と平行に延在し、かつ通気性裏材層の長さの少なくとも７５％と同一の広がりをもつバネ要素と、剥離ライナとを備える、鼻腔拡張器が提供される。
【０００４】
大部分の実施形態では、バネ要素は、応力を受けていないときバネ要素を元の位置まで戻すのに十分なバネ力を有し、前記接着層の皮膚に対する接着力よりも小さいバネ力を有する。大部分の実施形態では、バネ要素は、裏材の第１の主表面上の接着剤に取着される。
【０００５】
大部分の実施形態では、鼻腔拡張器は、通気性裏材層の第１の主表面に近接する通気性上張り層（facing layer）を更に備える。
【０００６】
本発明を特徴付けるこれら及び様々な他の利点並びに特徴は、本明細書に添付され、本明細書の一部を形成する特許請求の範囲にて詳細に指摘される。しかし、本発明、その利点、及びその使用によって得られる目的を更に理解するため、本発明の好ましい実施形態を図示し説明する添付図面及び記載内容を参照されたい。
【図面の簡単な説明】
【０００７】
本発明は図面を参照して更に説明されるが、対応する参照記号は複数の図面を通して対応する部分を示す。
【図１】本発明の例示的実施形態の分解斜視図。
【図２】本発明の別の例示的実施形態の分解斜視図。
【図３ａ】本発明の例示的実施形態の底面図。
【図３ｂ】本発明の別の例示的実施形態の底面図。
【図３ｃ】本発明の別の例示的実施形態の底面図。
【図４】図１又は２の鼻腔拡張器を患者に適用する及び患者から取り外す方法の例示的描写。
【０００８】
本発明は様々な変更例及び代替形状が可能であるが、その具体例を一例として図面に示すとともに詳細に説明する。しかしながら本発明を、記載される特定の実施形態に限定しようとするものではないことは理解されるべきである。逆に、本発明は、本発明の趣旨及び範囲内に含まれる、すべての修正、等価な形態、及び代替形態を対象とすることを意図する。
【発明を実施するための形態】
【０００９】
本発明は、ポリウレタンフィルム等の、接着剤コーティングされた高ＭＶＴＲ層である少なくとも１層の通気性層と、皮膚に張力を印加することにより鼻道を拡張させるための、１つ以上の接着剤コーティングされた高弾性率「バネ」要素と、キャリア送達系とを備える鼻腔拡張器を開示する。キャリア送達系は、キャリアを貫通する離線又は裂け目を備えて、鼻腔拡張器の送達を容易にすることができる。キャリアは、薄い接着剤コーティングされた高ＭＶＴＲ層の取扱及び送達に役立つ。
【００１０】
高弾性率バネ要素は、好ましくは、ポリエステル等の熱可塑性ポリマーで作製される。これらバネ要素は、ポリウレタンフィルムの上面又は底面のいずれかに接着されて、鼻道を開くのに必要なバネ力を提供することができる。バネ要素はまた、以下に記載するように２層の通気性層の間に挟まれてもよい。
【００１１】
バネ要素は、一般的に、通気性層の最長辺に対して平行に並べられて、鼻道（例えば、鼻）をつなげるのに役立つ。大部分の実施形態では、バネ要素は、通気性層（１又は複数）の長さと実質的に同一の広がりをもつ。大部分の実施形態では、バネ要素は、通気性層の長さの少なくとも７５％と同一の広がりをもつ。
【００１２】
接着剤コーティングされた通気性層は、典型的には、極めて薄く、一般的には非常に可撓性である。接着剤コーティングされた通気性層が適用中適切に支持されない場合、容易にめくれてその層自体にくっつき、鼻腔面上に適切に適用されるのを妨げる恐れがある。接着剤コーティングされた通気性層は、裏材層の上面に取着される取り外し可能なキャリアにより支持される。剥離ライナはまた、使用中患者に接触する接着面への接触をもたらす。剥離ライナ及び適合性である接着剤コーティングされた通気性層の両方は、一般的に、鼻腔バネ要素の縁部を超えて延在する。
【００１３】
図１〜２は、参照番号１０により全体が指定される鼻腔拡張器及び送達系の例示的実施形態を示す。図１は、通気性裏材層２（接着剤５でコーティングされている）と通気性上張り層３（接着剤５でコーティングされている）との間に鼻腔バネ要素４を備える鼻腔拡張器１０を示す。通気性裏材層２上にコーティングされている接着剤５は、通気性上張り層３上にコーティングされている接着剤５と同じであってもよく、異なっていてもよい。
【００１４】
鼻腔バネ要素４は、一般的に、鼻腔拡張器１０の長さと平行である。鼻腔バネ要素４はまた、一般的に、その上なお鼻腔拡張器１０の長さと同一の広がりをもつ。大部分の実施形態では、鼻腔拡張器４は、鼻腔拡張器１０の最長辺の長さの少なくとも７５％と同一の広がりをもつ。鼻腔バネ要素４は、図１〜２（及び図３ｂ）に示されるように、鼻腔拡張器１０の長さと平行でありかつ同一の広がりをもつ２枚の細いストリップとして示されているが、鼻腔バネ要素４は、図３ａに示されるような１枚の鼻腔バネ要素４を含む、若しくは図３ｂ及び３ｃに示されるような複数の鼻腔バネ要素４を含む任意の適切な形状をとり得る、並びに／又は必要に応じて鼻腔拡張器１０の中心から外れて位置し得る。
【００１５】
図１では、鼻腔バネ要素４は、拡張器１０の周辺部７まで延在する通気性裏材層２上の接着剤５により貼着される。通気性裏材層２は、典型的には、極めて薄く、可撓性であり、かつ透明又は半透明であるため、必要に応じて、通気性裏材層２を通して鼻腔バネ要素４を見ることができる。
【００１６】
図１では、任意の通気性上張り層３は、鼻腔バネ要素４及び通気性裏材層２（接着剤５でコーティングされている）に貼着される。通気性上張り層３はまた、鼻腔拡張器１０が適用されるとき接着剤５が患者に接触するように、通気性上張り層の底面を接着剤５でコーティングする。通気性裏材層２及び通気性上張り層３は、同じ材料であってもよく、異なる材料であってもよいが、両方の層が、以下に更に記載されるような通気性材料であることが好ましい。
【００１７】
剥離ライナ６は、通気性上張り層３の底面をコーティングした接着剤５を被覆し、典型的には、ユーザが拡張器１０を適用する準備が整うまで拡張器１０に取着されたままである。剥離ライナ６は、所望により通気性上張り層３の接着剤でコーティングされた面を越えて延在し得るため（図示せず）、ユーザーが容易に取り外すことができる。剥離ライナ６は、単一片又は複数片の剥離ライナであってもよく、また鼻腔拡張器を収容する包装（図示せず）の一部であるか、若しくはそれに積層されるか、又は単に包装内の鼻腔拡張器と共に封入されてもよい。
【００１８】
キャリア層１は、通気性裏材層２上に位置付けられる。キャリア層１は、材料の単一片であってもよく、２つ以上の別個の片であってもよい。キャリア層１は、キャリア層１と鼻腔バネ要素４との間に挟まれた通気性裏材層２と実質的に同一の広がりをもつ。本明細書で使用されるとき、用語「挟まれる」は、１つの層が、２つの他の層の中間である、又は２つの他の層の間に存在することを意味する。
【００１９】
好ましい実施形態では、図１及び２に示すように、キャリア層１に離線８を設けてもよい。離線８により、ユーザによる適用の後、キャリア層１を容易に取り外すことができる。図４も参照のこと。
【００２０】
通気性裏材層２の一方の主表面を接着性にするために、一般的に、その面上に感圧性接着剤層５が設けられ、またキャリア層１と接触する側面上の通気性裏材層２の他の主表面上に、低接着性コーティング（低接着性バックサイズ、即ちＬＡＢ）を設けてもよい。低接着性コーティングにより、他のデバイス又はユーザの指が使用中に鼻腔拡張器に接触したとき、不所望に拡張器が外れることにより拡張器１０を変化させる必要性が低減され、また衣類等の他の材料に対する拡張器１０の表面摩擦を低減することにより、拡張器１０が偶発的に外れるのを更に防ぐ。本発明で使用するのに好適な低接着性裏材材料に関する記載は、米国特許第５，５３１，８５５号及び同第６，２６４，９７６号に見出すことができ、これらは以下に記載される熱融着接合と適合性であり、本明細書に全文が援用される。
【００２１】
キャリア層１は、好ましくは、通気性裏材層２の第２の主表面に（低接着性裏材上に）取着される。キャリア層１と通気性裏材層２との間の接合は、通常、接着層５と剥離ライナ６との間の接合よりも強く、よって剥離ライナ６が拡張器１０から取り外されるとき、通気性裏材層２はキャリア層１に取着されたままである。一旦剥離ライナ６と拡張器１０が分離すると、キャリア層１及び鼻腔バネ要素４のみが、通気性裏材層２に著しい剛性をもたらす。
【００２２】
様々な他の実施形態が、図１〜２に示される態様から想到される。例えば、通気性裏材層２は、本発明から逸脱することなく、又は本明細書で使用される用語「フィルム」の意味から逸脱することなく、複数のフィルム又はコーティングであることができる。同様に、鼻腔バネ要素４は、フィルム、ウェブ、シート等を含む、複数の副層を含んでもよい。また、本明細書に記載の材料の間に、他の材料の追加の層及びフィルムが付加されてもよい。
【００２３】
鼻腔バネ要素４は、以下に更に記載される材料を含んで、十分な剛性及び弾性回復をもたらし、通気性裏材層２から分離する又は通気性裏材層２を引き裂くことなしに、鼻道を開く張力を鼻腔バネ要素に印加することができる。大部分の実施形態では、鼻腔バネ要素４は、応力の加えられる位置において鼻道に接触して定置されるときに鼻道を引き離して開かせるのに十分なバネ力、及び応力を取り除いたとき応力の加えられていない元の位置に鼻腔バネ要素４を戻すのに十分なバネ力を有するが、応力が加えられたとき皮膚上に鼻腔拡張器１０を保持する接着力よりも小さいバネ力を有する材料を含む。
【００２４】
幾つかの実施形態では、鼻腔バネ要素４は、少なくとも５１マイクロメートル（２ｍｉｌ）の厚さを有する。通気性裏材層２は、０．０２〜０．２ｍｍ、最も好ましくは０．０２１〜０．０５１ｍｍの範囲の厚さを有する透明な弾性ポリマーフィルム（例えば、ウレタン）を含むことができる。
【００２５】
図２に示すような別の例示的実施形態では、通気性上張り層は存在せず、鼻腔バネ要素４は、通気性裏材層２と剥離ライナ６との間に位置することができる。鼻腔バネ要素４は、好ましくは、剥離ライナ６に面する鼻腔バネ要素４の表面上が感圧性接着剤（図示せず）でコーティングされる。
【００２６】
別の例示的実施形態（図示せず）では、鼻腔バネ要素４は、通気性裏材層２と接着剤５との間、又は通気性裏材層２とキャリア層１との間に挟まれ得る。これらの実施形態は、審美的理由のためにあまり好ましくない場合がある。鼻腔バネ要素４が通気性裏材層２とキャリア層１との間に位置する実施形態では、キャリア層１は、熱融着接合ではなく、接着剤により、通気性裏材層２に貼着されなければならない場合もある。
【００２７】
その位置にかかわらず、鼻腔バネ要素４が通気性裏材層２から離れないように、鼻腔バネ要素４は、通気性裏材層２にしっかりと取着されることが好ましい。
【００２８】
図３ａ〜３ｃは、剥離ライナ６が取り外された鼻腔拡張器１０の別の例示的実施形態を示す。鼻腔バネ要素４は、単一又は複数のストリップ材料であり得る。通気性裏材層２はまた、適合性があり、かつユーザにより鼻道上に着用可能な任意の形状であってもよい。鼻腔バネ要素４はまた、通気性層（１又は複数）の長さと実質的に同一の広がりをもつ限り、形状及び大きさが異なってもよい（例えば、直線状、正弦波形状、又は波状）。
【００２９】
図４は、図１〜２の拡張器１０を患者に適用する例示的方法を示す。拡張器１０は、典型的には、先ず所望により適用領域を洗浄することにより患者に適用される。次いで、剥離ライナ６（図示せず）を拡張器から取り外し、接着剤５でコーティングされた通気性上張り層３の底面（図１によれば）、又は鼻腔バネ要素４と接着剤５でコーティングされた通気性裏材層と（図２によれば）を露出させる。一旦剥離ライナ６から取り外されると、通気性上張り層３（図１によれば）又は鼻腔バネ要素４（図２によれば）と、鼻道を被覆する皮膚とを接触させ、次いで拡張器１０の縁部を患者にそっとかつ円滑に押し付けることにより、露出している接着剤５を患者に接触させる。
【００３０】
拡張器１０が適切に配置され、患者の皮膚に接着された後、図４に示されるように、キャリア層１を取り外し得る。一般的に、キャリア層１の除去は、患者の鼻梁上に鼻腔拡張器１０を適用する際にキャリアを２つの別個の片に分離することができる離線８において、キャリア層を掴握することにより行われる。拡張器１０の縁部に向かって引き剥がす動作により、キャリア層１が効率よく取り外される。
【００３１】
上記の層及び材料は、以下で詳細に更に記載される。
【００３２】
通気性裏材層及び通気性上張り層の材料
通気性裏材層２、及び任意の通気性上張り層３（用いられるとき）に好適な材料は、典型的には、半透明又は透明な高分子弾性フィルムを含む。裏材は、水蒸気透過性の高いフィルム裏材であることができる。米国特許第３，６４５，８３５号は、そのようなフィルムの作製方法及びそれらの透過性を試験する方法を記載している。
【００３３】
通気性裏材層は、有利には、ヒトの皮膚に等しい、又はそれを超える速度で水蒸気を透過するべきである。いくつかの実施形態では、接着剤コーティングされた裏材層は、倒置カップ法（inverted cup method）を使用して、少なくとも３００ｇ／ｍ２／２４時間／３７℃／１００〜１０％  ＲＨ、多くの場合少なくとも７００ｇ／ｍ２／２４時間／３７℃／１００〜１０％  ＲＨ、最も典型的には２０００ｇ／ｍ２／２４時間／３７℃／１００〜１０％ＲＨの速度で水蒸気を透過する。
【００３４】
裏材フィルムは、好ましくは、米国特許第５，９７９，４５０号に記載されている倒置カップ法に従って試験したとき、少なくとも６００、好ましくは少なくとも８００、最も好ましくは少なくとも１０００ｇ／Ｍ２／２４時間のＭＶＴＲを有する。好適な裏材材料としては、ポリエステル又はポリエーテルポリウレタン等のポリウレタン（例えば、Ｂ．Ｆ．Ｇｏｏｄｒｉｃｈ，Ｃｌｅｖｅｌａｎｄ  Ｏｈｉｏから市販されている「Ｅｓｔａｎｅ（商標）熱可塑性ポリウレタン」）、ポリエーテルポリエステル等のポリエステル（例えば、Ｄｕ  Ｐｏｎｔ  Ｃｏ．，Ｗｉｌｍｉｎｇｔｏｎ，Ｄｅｌ．から市販されている「Ｈｙｔｒｅｌ（商標）ポリエステルエラストマー」）、及びポリエーテルポリアミド等のポリアミド（例えば、ＥＬＦ  Ａｔｏｃｈｅｍ，Ｎｏｒｔｈ  Ａｍｅｒｉｃａ，Ｉｎｃ．，Ｐｈｉｌａｄｅｌｐｈｉａ，Ｐａ．から市販されている「Ｐｅｂａｘ（商標）樹脂」）が挙げられる。
【００３５】
通気性裏材層２、及び任意の通気性上張り層３（用いられるとき）は、一般的に、解剖学的表面に適合する。そのため、通気性裏材層２は、解剖学的表面に適用されたとき、その表面が動いたときでさえもその表面に適合する。本発明に用いるための通気性裏材層２及び通気性上張り層３についての説明は、米国特許第５，０８８，４８３号及び同第５，１６０，３１５号に見出すことができる。特定の好適な裏材材料は、エラストマーポリウレタン、コポリエステル、又はポリエーテルブロックアミドのフィルムである。これらのフィルムは、裏材に見られる弾力性、高い水蒸気透過性、及び透明性の望ましい性質を組み合わせる。
【００３６】
キャリア層
キャリア層１を形成するのに使用される材料は、一般に、患者への適用中に、通気性裏材層２に不適切にしわが寄るのを防ぐため、実質的に通気性裏材層２よりも剛性が高い。キャリア層１は、上記の低接着性コーティングを有する又は有しない通気性裏材層２に対して熱融着可能であり得る。広くは、キャリア層材料は、ポリエチレン／ビニルアセテートコポリマーでコーティングされた紙及びポリエステルフィルムを含み得るが、これらに限定されない。好適なキャリア層の一例は、ポリエチレン／ビニルアセテートコポリマーでコーティングされた、スーパー仕上げクラフト紙（１−８０ＢＫＧ−１５７  ＰＥ、Ｗｉｌｌｏｗｂｒｏｏｋ，Ｉｌｌ．のＬＯＰＡＲＥＸ）である。
【００３７】
キャリア層１は、患者に拡張器１０を適用した後にキャリア層１の一部を分離させるのに役立つ離線８を備えてもよい。離線の間隔及び形状は、鼻腔拡張器を鼻梁に適用した際に比較的容易に分離されるキャリア層が得られるよう調整される。離線は、線状、斜め、Ｙ字形、Ｖ字形、正弦波形状等を含むいずれの所望の構成の形状であってもよい。
【００３８】
接着層
種々の感圧性接着剤を用いて、通気性裏材層２、鼻腔バネ要素４、及び／又は任意の通気性上張り層３上に接着層５を形成して、いずれか１層を接着性にしてもよい。感圧性接着剤は、米国特許第ＲＥ  ２４，９０６号に記載されているアクリレートコポリマー等のように、通常、適度に皮膚に対して適合性があり「低刺激性」である。特に有用なのは、９７：３のアクリル酸イソオクチルとアクリルアミドコポリマーであり、米国特許第４，７３７，４１０号に記載されている、７０：１５：１５のアクリル酸イソオクチル、アクリル酸エチレンオキシド、及びアクリル酸のターポリマーも同様である。更なる有用な接着剤は、米国特許第３，３８９，８２７号、同第４，１１２，２１３号、同第４，３１０，５０９号、及び同第４，３２３，５５７号に記載されている。また、米国特許第４，３１０，５０９号及び同第４，３２３，５５７号に記載されるように、薬剤又は抗菌剤を接着剤に含むことも想到される。
【００３９】
接着層５は、直接コーティング、積層、及び熱積層を含む種々のプロセスにより、通気性裏材層２、鼻腔バネ要素４、及び／又は任意の通気性上張り層３上にコーティングされ得る。
【００４０】
剥離ライナ
本明細書に記載される使用に好適な剥離ライナ６は、クラフト紙、ポリエチレン、ポリプロピレン、ポリエステル、又はこれらの材料の任意の複合材で作製することができる。フィルムは、好ましくは、フルオロケミカル又はシリコーンなどの離型剤でコーティングされる。例えば、米国特許第４，４７２，４８０号は、低表面エネルギーペルフルオロケミカルライナについて記載している。ライナは、シリコーンの剥離材料でコーティングされた、紙、ポリオレフィンフィルム、又はポリエステルフィルムである。市販のシリコーンコーティングされた剥離紙の例は、Ｒｅｘａｍ  Ｒｅｌｅａｓｅ（Ｂｅｄｆｏｒｄ  Ｐａｒｋ，Ｉｌｌ．）から入手可能なシリコーン剥離紙、ＰＯＬＹＳＬＩＫ（商標）、及びＬＯＰＡＲＥＸ（Ｗｉｌｌｏｗｂｒｏｏｋ，Ｉｌｌ．）によって供給されるシリコーン剥離紙である。市販のかかる剥離ライナの他の非限定的な例としては、Ｈ．Ｐ．Ｓｍｉｔｈ  Ｃｏ．から市販されているシリコン処理されたポリエチレンテレフタレートフィルム、及び３Ｍ  Ｃｏｍｐａｎｙから商品名「ＳｃｏｔｃｈＰａｋ（商標）」剥離ライナとして市販されているフルオロポリマーコーティングされたポリエステルフィルムが挙げられる。
【００４１】
鼻腔バネ要素
鼻腔バネ要素は、鼻腔拡張器が鼻の外部の周りで湾曲し、鼻の外部に接着されるとき、バネ力を提供する。このバネ力は、鼻孔を開かせる又は拡張させる。好適な鼻腔バネ要素材料としては、ポリエステル（例えば、ＰＥＴ、ＰＬＡ等）、アクリル、ポリアミド等の高弾性率熱可塑性樹脂が挙げられる。また、アクリル、ポリエステル、エポキシ等の熱硬化性ポリマーも好適である。場合によっては、金属ストリップも同様に好適である。
【００４２】
本発明の実施形態で典型的に用いられる高弾性率材料は、ＡＳＴＭ  Ｄ８２２により測定したとき、少なくとも１．３８ＧＰａ（２００ｋｐｓｉ）、より好ましくは少なくとも２．０７ＧＰａ（３００ｋｐｓｉ）、更により好ましくは少なくとも２．７６ＧＰａ（４００ｋｐｓｉ）の弾性率を有する。好ましい実施形態では、以下の実施例で用いられるもの等のフィルムの弾性率は、約３．４５ＧＰａ（５００ｋｐｓｉ）（ＡＳＴＭ  Ｄ８２２を用いて測定したとき）である。典型的には、材料は、ある程度の結晶化度を有して、剛性及びバネ力特性に役立つ。
【実施例】
【００４３】
（実施例１）
工程１
２０マイクロメートル（０．８ｍｉｌ）の、「Ｅｓｔａｎｅ  ５８３０９ＮＡＴ０２２」ポリウレタン樹脂（Ｂ．Ｆ．Ｇｏｏｄｒｉｃｈ，Ｃｌｅｖｅｌａｎｄ，Ｏｈｉｏ）フィルムを、ポリコーティングされた紙キャリア（ポリエチレン／酢酸ビニルコポリマーコーティングされたスーパー仕上げクラフト紙（Ｗａｕｓａ  Ｐａｐｅｒ，Ｒｈｉｎｅｌａｎｄｅｒ，ＷＩ）上に押し出した。押出プロセスの条件は、更に加工しても接合が維持されるが、最終製品構成で用いられるとき容易に分離するように、紙とフィルムとの間を均一に接合させるよう設定される。標的とするフィルム／紙接合強度は、３〜２０グラム／ｃｍ（８〜５０グラム／インチ）の９０°剥離値であった。
【００４４】
工程２
２５グラム／平方メートルの接着剤を、米国特許第ＲＥ  ２４，９０６号に従って調製し、調製方法は、９７：３単位のイソオクチルアクリレート：アクリルアミドコポリマーを、上記工程１に記載されたフィルム／紙積層体のフィルム側に積層し、接着剤を内側に向けてロール形態に巻き取ることを含む。次いで、上記により得られた、熱積層されたキャリアを備える接着剤コーティングされたポリウレタンフィルムを、１０×１５ｃｍ（４×６インチ）のシートに切断した。
【００４５】
工程３
接着剤コーティングされたポリエステルバネ材料を、以下の方法で調製した。粘着性付与された９６：４イソオクチルアクリレート／アクリル酸接着剤（３Ｍ  Ｃｏｍｐａｎｙ，Ｃｏｒｄｏｖａ，ＩＬ）を、１３９Ｋｇ（６３ｌｂ．）のポリコーティングされたクラフト紙（Ｌｏｐａｒｅｘ，Ｗｉｌｌｏｗｂｒｏｏｋ，ＩＬ）上に３０．５マイクロメートル（１．２ｍｉｌ）の厚さに押し出した。次いで、２５４マイクロメートル（１０ｍｉｌ）のポリエステルフィルム（ＤｕＰｏｎｔ−Ｔｅｉｊｉｎ，Ｃｈｅｓｔｅｒ，ＶＡ）を、接着剤側に積層し、ロール形態に巻き取った。得られた接着剤コーティングされたポリエステルを、幅３．２ｍｍ（０．１２５インチ）のバネ材料のストリップに切断した。
【００４６】
工程４
３．２ｍｍ（０．１２５インチ）×１５ｃｍ（６インチ）の、工程３で調製された接着剤コーティングされたポリエステルバネ材料の２枚のストリップを、工程２で調製された紙キャリアを備える１０ｃｍ（４インチ）×１５ｃｍ（６インチ）の接着剤コーティングされたポリウレタンシートの接着剤側に接着した。バネ材料の２枚のストリップを、ストリップ間の間隙が１．５ｍｍ（０．０６インチ）であるように、シートの中心下に平行に配向した。ポリエステルフィルムの上面がポリウレタンフィルムの接着剤側に接着されるように、接着剤コーティングされたポリエステルを積層した。
【００４７】
工程５
２５グラム／平方メートルの接着剤を、米国特許第２４，９０６号に従って調製し、調製方法は、９７：３単位のイソオクチルアクリレート：アクリルアミドコポリマーを、１２７グラム／平方メートル（７８ポンド／リーム）の、退色させ、標準的な水平ナイフコーティングを用いて片側コーティングしたポリエチレン及びシリコーン紙（Ｒｈｉｎｅｌａｎｄｅｒ，ＷＩ）の剥離ライナに塗布することを含む。２０マイクロメートル（０．８ｍｉｌ）の「Ｅｓｔａｎｅ  ５８３０９ＮＡＴ０２２」ポリウレタン樹脂フィルム（Ｂ．Ｆ．Ｇｏｏｄｒｉｃｈ，Ｃｌｅｖｅｌａｎｄ，Ｏｈｉｏ）を、接着剤表面に積層した。得られたテープをロール形態に巻き取り、次いで１０ｃｍ（４インチ）×１５ｃｍ（６インチ）のシートに切断した。
【００４８】
工程６
工程４の積層構造を、工程５で調製されたライナを備える、接着剤コーティングされた２０マイクロメートル（０．８ｍｉｌ）のポリウレタンフィルムの上面に接着させた。この多層構造を、所望の形状にダイカットした。
【００４９】
工程７
上面のキャリア剥離ライナ（ポリウレタンフィルムに直接接触する紙）を、その直下に存在するフィルム表面まで切断しないよう注意しながら、ストリップの中心において直接、幅全体を切断した。
【００５０】
（実施例２）
実施例１の工程１〜３と同様に、工程１〜４を実施した。
【００５１】
工程５
工程４の積層構造を、１２７グラム／平方メートル（７８ポンド／リーム）の、退色させ、片側コーティングしたポリエチレン及びシリコーン紙（Ｒｈｉｎｅｌａｎｄｅｒ，ＷＩ）の剥離ライナに接着させた。この多層構造を、図１に示すような所望の形状にダイカットした。
【００５２】
工程６
上面のキャリア剥離ライナ（ポリウレタンフィルムに直接接触する紙）を、その直下に存在するフィルム表面まで切断しないよう注意しながら、ストリップの中心において直接、幅全体を切断した。
【００５３】
特許請求の範囲に規定するような本発明の範囲から逸脱することなく、上述の構造、組成物、及び方法を様々に変化させることができるが、上述の説明に含まれる、又は添付図面に示される全ての事項は例証として解釈されるものであって、限定的な意味で解釈されるものではない。本出願に記載された実施例は、組成物の種類、量及び比率並びに本発明の処方の作製方法を変化させる可能性を例示するものである。本明細書に記載の特許、特許出願、及び刊行物の全ての開示内容は、それぞれが参照により個々に援用された場合と同様に、その全内容が参照によって援用される。
【図１】
0005421379.tif 000002
【図２】
0005421379.tif 000003
【図３ａ】
0005421379.tif 000004
【図３ｂ】
0005421379.tif 000005
【図３ｃ】
0005421379.tif 000006
【図４】
0005421379.tif 000007